(57)【要約】【課題】  容量を大きくせず、且つ処理時間を長くすることなく複数の使用モードに関連するデータを格納する記録装置を提供する。【解決手段】  記録装置は、表示装置ブロック４０で表示するために使用される符号データのうち、２以上の使用モードに関連して使用される選択データを圧縮状態で記録する第１記録媒体１０と、選択データのうち、使用者により選択された使用モードに関連して使用される選択データを、圧縮状態が解凍された非圧縮状態で一時記録する第２記録媒体２０とを備える。第２記録媒体２０に一時記録された非圧縮状態の選択データは、第１記録媒体１０に非圧縮状態で記録される。【選択図】        図１
2007087106.tif 000002
【特許請求の範囲】
【請求項１】
表示装置で表示するために使用される符号データのうち、２以上の使用モードに関連して使用される選択データを圧縮状態で記録する第１記録媒体と、
前記選択データのうち、使用者により選択された使用モードに関連して使用される選択データを、前記圧縮状態が解凍された非圧縮状態で一時記録する第２記録媒体とを備え、
前記第２記録媒体に一時記録された非圧縮状態の選択データは、前記第１記録媒体に非圧縮状態で記録されることを特徴とする記録装置。
【請求項２】
前記第１記録媒体は、電源がオフ状態にされても記録内容が消去されず、前記第２記録媒体は、電源がオフ状態にされると記録内容が消去されることを特徴とする請求項１に記載の記録装置。
【請求項３】
前記第１記録媒体は、フラッシュＲＯＭであり、前記第２記録媒体は、ＳＤＲＡＭであることを特徴とする請求項２に記載の記録装置。
【請求項４】
前記使用モードは、前記表示装置で表示するために使用され、前記使用者により選択される表示言語モードであることを特徴とする請求項１に記載の記録装置。
【請求項５】
前記第１記録媒体は、前記符号データのうち前記使用モードに関連しないで使用される共通データを、記録することを特徴とする請求項１に記載の記録装置。
【請求項６】
前記表示装置に文字または図形を表示する時、前記第１記録媒体に記録された非圧縮状態の選択データのうち、前記表示装置で使用される文字または図形データが前記第２記録媒体に一時記録され、前記第２記録媒体に一時記録した文字または図形データに基づいて前記表示が行われることを特徴とする請求項１に記載の記録装置。
【請求項７】
表示装置で表示するために使用される符号データのうち、２以上の使用モードに関連して使用される選択データを圧縮された状態で記録する第１記録媒体において、前記選択データのうち使用者により選択された使用モードに関連して使用される選択データの圧縮状態を解凍する第１ステップと、
前記解凍された非圧縮状態の選択データを、第２記録媒体に一時記録する第２ステップと、
前記第２記録媒体に一時記録された非圧縮状態の選択データを、前記第１記録媒体に非圧縮状態で記録する第３ステップとを備えることを特徴とする記録装置の処理方法。
【請求項８】
前記第３ステップは、前記第１記録媒体に、既に解凍された非圧縮状態の別の選択データが記録されている場合は、前記別の選択データが消去された後に、前記第２記録媒体に一時記録された非圧縮状態の選択データを前記第１記録媒体に記録することを特徴とする請求項７に記載の処理方法。
【請求項９】
前記第３ステップで前記第１記録媒体に記録された非圧縮状態の選択データのうち、前記表示装置で使用される文字または図形データが前記第２記録媒体に一時記録される第４ステップと、
前記第４ステップで一時記録した文字または図形データが、前記表示装置に表示される第５ステップとをさらに備えることを特徴とする請求項７に記載の処理方法。
【請求項１０】
前記記録装置は撮像装置に使われ、前記第１〜第３ステップは、前記撮像装置の起動時に他の処理よりも優先して行われることを特徴とする請求項７に記載の処理方法。
【発明の詳細な説明】
【技術分野】
【０００１】
本発明は、記録装置に関し、特に使用モードに関連して使用されるデータと関連しないで使用されるデータを分けて記録する装置に関する。
【背景技術】
【０００２】
表示装置で表示する言語（表示言語）モードなどの使用モードが使用者により選択可能な装置が提案されている。
【０００３】
特許文献１は、常時使用するプログラムは非圧縮状態でフラッシュメモリに記録し、常時使用しないプログラムは圧縮状態で二次記録装置（ハードディスク）に記録し、必要に応じて必要な部分だけ圧縮状態を解凍してフラッシュメモリに記録する画像処理装置を開示する。
【特許文献１】特開平０９−２４４９０１号公報
【発明の開示】
【発明が解決しようとする課題】
【０００４】
しかし、特許文献１の装置は、使用する度に、圧縮したプログラムを解凍する必要があり、処理時間が長くなる。一方、各使用モードに関連するプログラムを圧縮しない状態で格納しておくと、圧縮状態の解凍に費やされる時間を節約できるが、容量の大きい記録媒体を使用する必要がある。
【０００５】
したがって本発明の目的は、容量を大きくせず、且つ処理時間を長くすることなく複数の使用モードに関連するデータを格納する記録装置を提供することである。
【課題を解決するための手段】
【０００６】
本発明に係る記録装置は、表示装置で表示するために使用される符号データのうち、２以上の使用モードに関連して使用される選択データを圧縮状態で記録する第１記録媒体と、選択データのうち、使用者により選択された使用モードに関連して使用される選択データを、圧縮状態が解凍された非圧縮状態で一時記録する第２記録媒体とを備え、第２記録媒体に一時記録された非圧縮状態の選択データは、第１記録媒体に非圧縮状態で記録される。
【０００７】
好ましくは、第１記録媒体は、電源がオフ状態にされても記録内容が消去されず、第２記録媒体は、電源がオフ状態にされると記録内容が消去される。
【０００８】
さらに好ましくは、第１記録媒体は、フラッシュＲＯＭであり、第２記録媒体は、ＳＤＲＡＭである。
【０００９】
また、好ましくは、使用モードは、表示装置で表示するために使用され、使用者により選択される表示言語モードである。
【００１０】
また、好ましくは、第１記録媒体は、符号データのうち使用モードに関連しないで使用される共通データを記録する。
【００１１】
また、好ましくは、表示装置に文字または図形を表示する時、第１記録媒体に記録された非圧縮状態の選択データのうち、表示装置で使用される文字または図形データが第２記録媒体に一時記録され、第２記録媒体に一時記録した文字または図形データに基づいて表示が行われる。
【００１２】
また、本発明に係る記録装置の処理方法は、表示装置で表示するために使用される符号データのうち、２以上の使用モードに関連して使用される選択データを圧縮された状態で記録する第１記録媒体において、選択データのうち使用者により選択された使用モードに関連して使用される選択データの圧縮状態を解凍する第１ステップと、解凍された非圧縮状態の選択データを、第２記録媒体に一時記録する第２ステップと、第２記録媒体に一時記録された非圧縮状態の選択データを、第１記録媒体に非圧縮状態で記録する第３ステップとを備える。
【００１３】
好ましくは、第３ステップは、第１記録媒体に、既に解凍された非圧縮状態の別の選択データが記録されている場合は、別の選択データが消去された後に、第２記録媒体に一時記録された非圧縮状態の選択データを第１記録媒体に記録する。
【００１４】
また、好ましくは、第３ステップで第１記録媒体に記録された非圧縮状態の選択データのうち、表示装置で使用される文字または図形データが第２記録媒体に一時記録される第４ステップと、第４ステップで一時記録した文字または図形データが、表示装置に表示される第５ステップとをさらに備える。
【００１５】
また、好ましくは、記録装置は撮像装置に使われ、第１〜第３ステップは、撮像装置の起動時に他の処理よりも優先して行われる。
【発明の効果】
【００１６】
以上のように本発明によれば、容量を大きくせず、且つ処理時間を長くすることなく複数の使用モードに関連するデータを格納する記録装置を提供することができる。
【発明を実施するための最良の形態】
【００１７】
以下、本発明の実施形態について、図を用いて説明する。本実施形態における撮像装置１は、第１記録媒体１０、第２記録媒体２０、制御部３０、表示装置ブロック４０、及び撮像ブロック５０とを備える（図１参照）。本実施形態では、撮像装置１は、デジタルカメラであるとして説明するが他のカメラであってもよい。
【００１８】
第１記録媒体１０は、電源がオフにされても記録内容が消去されない記録媒体で、例えばプログラムＦＬＡＳＨＲＯＭ（フラッシュメモリ）が挙げられる。第２記録媒体２０は、電源がオフにされると記録内容が消去される記録媒体で、例えばＳＤＲＡＭ（Ｓｙｎｃｈｒｏｎｏｕｓ  Ｄｙｎａｍｉｃ  Ｒａｎｄｏｍ  Ａｃｃｅｓｓ  Ｍｅｍｏｒｙ）が挙げられる。
【００１９】
制御部３０は、各部の制御を行う装置で、例えばＤＳＰ（Ｄｉｇｉｔａｌ  Ｓｉｇｎａｌ  Ｐｒｏｃｅｓｓｏｒ）が挙げられる。表示装置ブロック４０は、表示装置など撮像により得られた画像や操作に関する情報を表示する。撮像ブロック５０は、撮像素子など撮像動作を行う。
【００２０】
表示装置ブロック４０における操作に関する情報を表示するために使用される符号データは第１記録媒体１０に予め記録されている。符号データのうち、撮像装置１の２以上の表示言語モードの中から使用者が１つ選択する表示言語モードに関連して使用される文字または図形データ（言語リソース）は、２以上の表示言語モードそれぞれに対応する領域（第１〜第４領域１０１〜１０４）に分けて且つ圧縮された状態で記録される。
【００２１】
日本語に関係する言語リソースが第１言語リソースとして、第１領域１０１に圧縮された状態で記録される（図２参照）。英語に関する言語リソースが第２言語リソースとして、第２領域１０２に圧縮された状態で記録される。フランス語に関係する言語リソースが第３言語リソースとして、第３領域１０３に圧縮された状態で記録される。ドイツ語に関係する言語リソースが第４言語として、第４領域１０４に圧縮された状態で記録される。但し、言語の種類は本実施形態のような４カ国に限られない。
【００２２】
第１〜第４言語リソースのうち、使用者により選択された表示言語モードに対応する言語リソースは、圧縮状態が解凍された非圧縮状態で第５領域１０５に記録される。例えば、使用者により撮像装置１の表示言語モードについて、日本語に対応する表示言語モードが選択された場合には、第１領域１０１に圧縮された状態で記録された第１言語リソースが、解凍されて非圧縮状態で第５領域１０５に記録される。次に他の表示言語モードが選択された場合には、第５領域１０５に記録された第１言語リソースが消去されて、他の言語リソースが記録される。第１〜第４領域１０１〜１０４から、第５領域１０５への記録（書き込み）は、第２記録媒体２０を介して行われる。
【００２３】
符号データのうち、表示言語モードに関連しないで使用される共通データは、プログラム領域（第６領域１０６）に記録される。共通データは、圧縮しない非圧縮状態で記録されるか、圧縮状態で記録されるかは問わない。圧縮状態で記録されている場合は、必要に応じて解凍処理される。
【００２４】
言語リソースは、選択した表示言語モードでのみ使用する文字または図形の情報である。例えば、日時を設定する画面表示Ｄ１、Ｄ２において、日本語に対応する表示言語モードにおける「日時設定」、「戻る」、及び「決定」の文字が第１言語リソースとして第１領域１０１に格納される文字データであり（図３参照）、英語に対応する表示言語モードにおける「Ｄａｔｅ  Ａｄｊｕｓｔ」、「Ｅｘｉｔ」、及び「Ｏｋ」の文字に対応するデータが第２言語リソースとして第２領域１０２に格納される文字データである（図４参照）。
【００２５】
共通データは、選択した表示言語モードがいずれの場合でも共通して使用する文字または図形の情報である。例えば、日時を設定する画面表示Ｄ１、Ｄ２において、日本語に対応する表示言語モードの場合、英語に対応する表示言語モードの場合のいずれでも使用されるフォルダ形状の図形、「ＤＩＳＰ」、「１２／２４」、「ＭＥＮＵ」、及び「ＯＫ」の文字に対応するデータが共通データとして第６領域１０６に記録される。
【００２６】
第１記録媒体１０の第１〜第４領域１０１〜１０４に記録された第１〜第４言語リソースのいずれかが選択されて第５領域１０５へ記録される手順を、図５のフローチャートを使って説明する。
【００２７】
ステップＳ１１で、撮像装置１の電源がオン状態にされると、ステップＳ１２で、表示言語モードについて設定済みか否かが使用者によって判断される。既に表示言語モードが設定されており、既に設定されている表示言語モードを変更しない場合は、ステップＳ１８に進められる。
【００２８】
未だ表示言語モードが設定されていない場合、または既に設定されている表示言語モードを別の表示言語モードに変更する場合は、ステップＳ１３で、使用者によって言語選択が行われる。具体的には、表示装置ブロック４０に表示された表示言語モードを選択する画面に基づいて、使用者が図示しない操作キーなどで使用したい表示言語モードを選択する。
【００２９】
ステップＳ１４で、使用者により選択された表示言語モードに対応する言語リソースが第１〜第４領域１０１〜１０４のいずれかから第２記録媒体２０上に読み出しされる。具体的には、日本語に対応する表示言語モードが選択された場合には、第１領域１０１に圧縮した状態で記録された第１言語リソースが第２記録媒体２０上に読み出しされる。英語に対応する表示言語モードが選択された場合には、第２領域１０２に圧縮した状態で記録された第２言語リソースが第２記録媒体２０上に読み出しされる。フランス語に対応する表示言語モードが選択された場合には、第３領域１０３に圧縮した状態で記録された第３言語リソースが第２記録媒体２０上に読み出しされる。ドイツ語に対応する表示言語モードが選択された場合には、第４領域１０４に圧縮した状態で記録された第４言語リソースが第２記録媒体２０上に読み出しされる。
【００３０】
ステップＳ１５で、読み出しされた言語リソースの圧縮状態が第２記録媒体２０上で解凍される。但し、ステップＳ１４、Ｓ１５の読み出し及び解凍処理は、同時に行われても良い。すなわち、使用者により選択された表示言語モードに対応する言語リソースが第２記録媒体２０上で解凍されながら読み出しされてもよい。ステップＳ１６で、解凍された言語リソースが第２記録媒体２０にコピー（一時記録）される。ステップＳ１７で、第２記録媒体２０にコピーされた非圧縮状態の言語リソースが第１記録媒体１０の第５領域１０５に書き込み（記録）される。このとき、第２記録媒体２０に記録されていた解凍された状態の言語リソースは消去される（カットアンドペースト）。これにより、第５領域１０５への言語リソース書き込みの為に一時記録されていた第２記録媒体２０上の領域は、別の用途に使用することが可能になる。別の用途とは、撮像装置１の通常使用状態における動作のためのプログラムやデータを格納する等である。ステップＳ１７において、第５領域１０５に、既に設定された表示言語モードに対応して言語リソースが書き込みされている場合には、既に書き込みされている言語リソースが消去され、第２記録媒体２０にコピーされた解凍された状態の言語リソースが書き込みされる（上書き）。
【００３１】
ステップＳ１８で、第５領域１０５に記録された言語リソースのうち、表示装置ブロック４０で表示するために使用される文字または図形データが第２記録媒体２０にコピー（一時記録）される。また、第６領域１０６に記録された共通データのうち、表示装置ブロック４０で表示するために使用される文字または図形データが第２記録媒体２０にコピー（一時記録）される。圧縮状態で記録されている場合は、第６領域１０６に記録された共通データのうち、表示装置ブロック４０で表示するために使用される文字または図形データが解凍された後に、第２記録媒体２０にコピー（一時記録）される。但し、共通データのうち、単純な背景色などは、第１記録媒体１０に記録させることなく、制御部３０等によって第２記録媒体２０に直接データ書き込みを行ってもよい。
【００３２】
ステップＳ１９で、第２記録媒体２０にコピーされた文字または図形データに基づいて、表示装置ブロック４０で表示が行われ、ステップＳ２０で、撮像装置１が撮影可能な状態にされる。ステップＳ１９での表示は、言語リソースのデータと共通データとが重なった状態で表示される。具体的には、第２記録媒体２０において、言語リソースのデータと共通データとが重ね合わせられて（スーパーインポーズ）、一画面分のデータが作成された後、表示が行われる。
【００３３】
本実施形態では、第１記録媒体１０には、第１〜第４言語リソースのうち、表示言語モードに対応して使用される言語リソース以外は、圧縮された状態で格納されているので、圧縮されない状態で格納されている場合に比べて言語リソースが格納される量（ファイルサイズ）を小さくすることが可能になる。
【００３４】
第５領域１０５に記録された解凍された状態の言語リソースは、撮像装置１の電源がオフ状態にされても消去されずに残っている。従って、電源オフ後、再度撮像装置１の電源がオン状態にされた時に、表示言語モードを選択し、圧縮された第１〜第４言語リソースのいずれかを解凍し、第２記録媒体２０を介して、第５領域１０５に書き込む手順を省略することできる。そのため、撮像装置１を電源オフ状態から電源オン状態にした時に、撮影可能状態になるまでの時間（起動時間）は、総ての言語リソースが圧縮されない状態で格納されている場合に比べて長くならない。
【００３５】
第２記録媒体２０は、第１記録媒体１０等に記録されたデータの一時記録に使用されるので、電源がオフにされて記録内容が消去されても撮像装置１の使用に支障をきたさない。また、言語設定の処理は、撮像装置１の起動時に（電源がオン状態にされた後に）、他の処理より優先して実行させ、言語設定処理終了後は、第５領域１０５への言語リソース書き込みの為に一時記録されていた第２記録媒体２０上の領域は空き領域となる。そのため、この空き領域は、他の処理に必要なプログラムやデータを格納する領域として使用することが可能になり、第２記録媒体２０の記録領域を有効に活用することが可能になる。本実施形態における他の処理とは、撮像装置１で行われる処理の内、言語設定処理を除く総ての処理をいう。
【００３６】
本実施形態では、符号データのうち、撮像装置１の２以上の表示言語モードの中から使用者が１つ選択する表示言語に関連して使用される文字または図形データ（言語リソース）を、２以上の表示言語モードそれぞれに対応する領域（第１〜第４領域１０１〜１０４）に分けて且つ圧縮された状態で記録し、符号データのうち、撮像装置１の表示言語モードに関連しないで使用される共通データを、プログラム領域（第６領域１０６）に記録する形態を説明した。
【００３７】
但し、使用者によって選択される使用モードは表示言語モードに限られない。例えば、符号データのうち、撮像装置１の２以上の使用モードの中から使用者が１つ選択する使用モードに関連して使用される選択データを、２以上の使用モードそれぞれに対応する領域（第１〜第４領域１０１〜１０４）に分けて且つ圧縮された状態で記録し、符号データのうち、使用モードに関連しないで使用される共通データを、プログラム領域（第６領域１０６）に記録する形態であってもよい。ここでいう２以上の使用モードは、日本語表示モードと英語表示モードを切り換えるような表示言語に関する使用モードの他、シャッタ速度優先ＡＥモードと絞り優先ＡＥモードを切り換えるような露出設定方法に関する使用モード、初心者の為のヘルプモードと熟練者の為のヘルプモードとを切り換えるようなヘルプ機能の説明内容に関する使用モードであってもよい。
【００３８】
また、撮像装置を使って本実施形態を説明したが、他の装置であってもよい。
【図面の簡単な説明】
【００３９】
【図１】本実施形態における撮像装置の構成図である。
【図２】第１記録媒体の記録領域の構成図である。
【図３】日本語で表示された日時設定画面を示す図である。
【図４】英語で表示された日時設定画面を示す図である。
【図５】電源オン状態にしてから撮影可能状態にされるまでの手順を示すフローチャートである。
【符号の説明】
【００４０】
１  撮像装置
１０  第１記録媒体
２０  第２記録媒体
３０  制御部
４０  表示装置ブロック
５０  撮像ブロック
１０１〜１０６  第１〜第６領域
【図１】
2007087106.tif 000003
【図２】
2007087106.tif 000004
【図３】
2007087106.tif 000005
【図４】
2007087106.tif 000006
【図５】
2007087106.tif 000007